(57)【要約】【課題】機器をコンパクトにし、しかも着火、燃焼状態を遠くからでも一目で確認できる温風暖房装置の提供を目的とする。【解決手段】操作部１７にもうけた発光体２１の光を光ケース２３を介してフロント面を構成するガラス体１９まで導き、集光体２２を介して発光させることで、ガラス体１９表面に任意の表示形態で運転状態に連動した表示を行わせるようにしている。【選択図】  図１
2007107740.tif 000002
【特許請求の範囲】
【請求項１】
バーナーと、前記バーナーからの燃焼ガスと外部より取り込んだ空気を混合する燃焼室と、温風を送出するための対流用ファンと、温風を吹出す温風吹出し口と、燃焼用の空気を取り込む対流用フィルターと、樹脂で形成され上面に操作スイッチ及び表示器を有した操作部と、燃焼室の前面で操作部の下部に配置されバーナを収納する筺体を構成する前板と、前記操作部と前板の前面を覆うように設け前記燃焼室からの熱を遮断するフロント面を構成するガラス体と、前記ガラス体の裏面に貼り付けられたフィルムあるいは印刷を施された半透光部材と、前記ガラス体の後面に設けられた発光体と、前記発光体の前面に空間を設けて取り付けられた光りを集める集光体と、前記発光体と集光体を囲む光ケースで構成された光ユニットを設けたことを特徴とした温風暖房装置。
【請求項２】
光ユニットは操作部に設け、操作スイッチ及び表示器取付面とは異なる面で発光するようにしたことを特徴とした請求項１記載の温風暖房装置。
【請求項３】
発光体を複数のＬＥＤで構成した請求項１又は２記載の温風暖房装置。  
【請求項４】
集光体を円柱形の樹脂で構成する請求項１〜３のいずれか１項記載の温風暖房装置。
【請求項５】
複数の発光体を独立して光らせるため、個々の発光体からガラス体まで光を導く独立した光ケースを設けた請求項１又は２記載の温風暖房装置。
【請求項６】
光ユニットは、燃焼室の上部に設けたことを特徴とした請求項１〜５のいずれか１項記載の温風暖房装置。
【発明の詳細な説明】
【技術分野】
【０００１】
本発明は、温風を吹き出して室内を暖房する温風暖房機の関するものである。
【背景技術】
【０００２】
従来、この種の温風暖房機としては図３に示すように、バーナー１にて供給されたガスの燃焼を行う。燃焼により発生した排気ガスと空気を混合する燃焼室２がある。バーナー１の下方には温風３を送出するための対流用ファン４を設けている。対流用ファン４の前方には温風を導くルーバー５を取り付けた温風吹出し口７がある。ケース６の後面には対流用空気を取り入れるための網目状の対流用フィルター８があり、以上の構成で温風暖房部を形成している。１０は発光する発光体で、燃焼室２の前面に複数個設けられている。発光体１０を囲み燃焼室２と仕切る仕切り板１１が燃焼室２と空間を保って設けられている。発光体１０の前方の機器正面には、半透光性部材１２があり、以上の構成で照明ユニットを形成している。制御装置１４は、バーナー１、対流用ファン４、発光体１０と図の破線で電気的につながっていて、各部品の制御をしている。  
【０００３】
温風暖房部はバーナー１でガスを燃焼させ、発生する高温の排気ガスと、燃焼室２の燃焼風路内で対流用フィルター８を通過した対流用空気が混合される。混合された温風は、対流用ファン４によって前面下部の温風吹出し口７から温風３になって送出され暖房を行なう。
【０００４】
また、照明ユニットは、燃焼時に発光体１０が発光し、その光りが半透光性部材１２を通り拡散する。拡散により光り方を炎のようにみせることができ、視覚的な暖房感を高めることができる（例えば、特許文献１参照）。
【特許文献１】特開２００４−１９８０８３号公報
【発明の開示】
【発明が解決しようとする課題】
【０００５】
しかしながら前記従来の構成では、燃焼室の前面に複数の発光体と仕切り板を設けているため、照明ユニットを搭載しないものに比較し、照明ユニットの厚さ分奥行きが厚くなるとういう課題がある。また、照明ユニットは、発光体と半透光部材により構成されているため、発光体の光が集光されないで、分散してしまう。よって、鮮明な明かりにはならないため、明るい日中等は遠くからはその運転状態がはっきりと確認できないという課題を有していた。特にガスを使用した温風暖房機は運転音が静かになり、弱燃焼の場合は騒音が２２ｄBと低く、燃焼しているかどうか一目で確認できないため、付けっぱなしの状態で外出するといったことが起こっている。
【０００６】
本発明は、前記従来の課題を解決するもので、遠くからでも一目で機器の運転状態が確認できる温風暖房機を提供することを目的としている。
【課題を解決するための手段】
【０００７】
前記従来の課題を解決するために、本発明の温風暖房機は、バーナーと、前記バーナーからの燃焼ガスと外部より取り込んだ空気を混合する燃焼室と、温風を送出するための対流用ファンと、温風を吹出す温風吹出し口と、燃焼用の空気を取り込む対流用フィルターと、樹脂で形成され上面に操作スイッチ及び表示器を有した操作部と、燃焼室の前面で操作部の下部に配置されバーナを収納する筺体を構成する前板と、前記操作部と前板の前面を覆うように設け前記燃焼室からの熱を遮断するフロント面を構成するガラス体と、前記ガラス体の裏面に貼り付けられたフィルムあるいは印刷を施された半透光部材と、前記
ガラス体の後面に設けられた発光体と、前記発光体の前面に空間を設けて取り付けられた光りを集める集光体と、前記発光体と集光体を囲む光ケースで構成された光ユニットを設けたものである。
【０００８】
上記発明によれば、発光体の光を集光して明るい光をガラス表面に表示でき、遠くからでも一目で運転状態が確認できる。さらに発光体の大きさや光らせ方によりいろいろな形状にすることが可能であり、デザイン性も向上できる。
【０００９】
また、光ユニットを燃焼室上部に設置することができ、温風暖房装置の奥行きを薄くでき、機器をコンパクトにすることができる。
【発明の効果】
【００１０】
本発明の温風暖房機は、フロント面を構成するガラス体の裏面側に発光体と集光体を囲む光ケースで構成された光ユニットを設け、半透光部材を介して発光させるようにしているため、運転停止時は半透光部材により光ユニットが見えないようにしてデザイン性を向上し、運転時は、光ケースと集光体により任意の発光形態でガラス体表面に鮮明に表示して遠くからでも一目で運転状態が確認できる。さらに、操作部に光ユニットを収納することで、奥行き寸法を小さくし、機器のコンパクト化を図ることができる。
【発明を実施するための最良の形態】
【００１１】
第１の発明は、バーナー１と、前記バーナー１からの燃焼ガスと外部より取り込んだ空気を混合する燃焼室２と、温風を送出するための対流用ファン４と、温風を吹出す温風吹出し口５と、燃焼用の空気を取り込む対流用フィルター８と、樹脂で形成された操作部１７と、燃焼室１３の前面で操作部１７の下部に配置された筺体である前板１８と、操作部１７と前板１８の前面に設けられたガラス１９と、ガラス１９の裏面に貼り付けられたフィルムあるいは塗装を施した半透光部材２０と、前記ガラス１９の後面に設けられた発光体２１と、前記発光体２１の前面に空間を設け取り付けられた光りを集める集光体２２と、発光体２１と集光体２２を囲む光ケース２３で構成された光ユニット２４を設けたことを特徴とするものである。
【００１２】
そして、発光体の光を集光して明るい光をガラス表面に表示でき、遠くからでも一目で運転状態が確認できる。また、発光体の大きさや光らせ方によりいろいろな形状にすることが可能であり、デザイン性も向上できる。さらに、光ユニットを燃焼室上部に設置することができ、温風暖房装置の奥行きを薄くでき、機器をコンパクトにすることができる。
【００１３】
第２の発明は、光ユニット２４は操作部１７に設け、操作スイッチ及び表示器取付面とは異なる面で発光するようにしたことを特徴としたものであり、操作部１７に設けることにより、事前に操作部１７に組み込んでから、ケースに組み込めるため、組み立て性が向上するとともに、奥行き寸法を縮めることが可能となり機器のコンパクト化を実現できる。  
【００１４】
第３の発明は、発光体２１を複数のＬＥＤで構成したことを特徴とするものであり、消費電力を抑えて、安価にこの構成を実現できる。
【００１５】
第４の発明は、集光体１２を円柱形の樹脂で構成したもので、レンズの効果により、発光体２１の光を効果的に集光できる。しかも広く発光できるため、燃焼状態を一目で遠くから確認できるという効果がある。
【００１６】
第５の発明は、複数の発光体を独立してドット状に光らせるため、個々の発光体２１からガラスまで光を導く光ケース２３を設けたもので、光を拡散せずにガラス１９まで導く
ことが可能である。このとき集光体は必要ないこともある。
【００１７】
第６の発明は、光ケース２３を燃焼室１３の上部の空間に設けたもので、操作部のデッドスペースに設置できるため、温風暖房装置の奥行きを薄くすることができる。
【００１８】
以下、本発明の実施の形態について、図面に基づき説明する。なお、本実施の形態によって本発明が限定されるものではない。
【００１９】
（実施の形態１）
図１は、本発明の温風暖房機の断面図を示すものである。    図１においてバーナー１にて供給されたガスの燃焼を行う。燃焼により発生した排気ガスと空気を混合する燃焼室２がある。バーナー１の下方には温風５を送出するための対流用ファン４を設けている。対流用ファン４の前方には温風を導くルーバーを取り付けた温風吹出し口５がある。ケース２５の後面には対流用空気を取り入れるための網目状の対流用フィルター８がある。１７は、スイッチや表示部を設けた操作部である。操作部１７の下部には、前板１８が設けられている。操作部１７と前板１８の前面には、ガラス１９が取り付けられ、ガラス１９の内側には、着色したフィルムあるいは、印刷を施された半透光部材２０がある。以上の構成で温風暖房部を形成している。
【００２０】
２１は発光する発光体で、燃焼室２の斜め上部に設けられている。発光体２１の光を集める集光体２２がガラス１９近傍にある。発光体２１と集光体２２を囲み、光を拡散しないようにする光ケース２３がある。光ユニット２４は、集光体２２・発光体２１・光ケース２３で構成されている。
【００２１】
制御装置２６は、バーナー１３、対流用ファン１４、発光体２１と図の破線で電気的につながっていて、各部品の制御をしている。
【００２２】
以上のように構成された温風暖房装置について、以下その動作・作用について説明する。
【００２３】
温風暖房部はバーナー２でガスを燃焼させ、発生する高温の排気ガスと、燃焼室２の燃焼風路内で対流用フィルター８を通過した対流用空気が混合される。混合された温風は、対流用ファン４によって前面下部の温風吹出し口５から温風になって送出され暖房を行なう。
【００２４】
また、光ユニット２４は、発光体２１が発光し、その光が集光体２２により集められ、ガラス１９を通して、外部から見ることができる。ガラス１９の裏面には半透光部材２０が設けられている。これは、ガラス１９に貼り付けられたフィルムで構成され、フィルムには着色されているため、光ユニット２４が発光していないときは、外部から光ユニット２４を見ることができないが、光ユニット２４が発光すると、光を見ることができる。フィルムの代わりにガラス１９裏面に印刷を施す場合もある。
【００２５】
以上のように本実施例においては、光ユニット２４が機器前面で明るく発光し、燃焼と連動させると、遠くから一目で燃焼していることが確認できるため、点火の確認も容易になり、つけっ放しで外出する等を防止でき、安全性を高めることができる。また、光ユニット２４の発光の形や色を変化させることができるため、デザイン性が向上することができる。
【００２６】
（実施の形態２）
図１において、光ユニットを操作部１７の前部に設けたものである。
【００２７】
操作部１７には、スイッチや表示部といった電装部品が設けられているため、その近傍に光ユニット２４を設置できるとリード線の接続が容易になるため組み立て性が向上できる。メンテナンスの場合は、まずガラス１９と前板１８を取り外すが、光ユニット２４を操作部１７に設けてあるため、光ユニット２４をはずす必要がない。
【００２８】
（実施の形態３）
発光体２１を複数のＬＥＤで構成している。LEDを光源としているため、安価に構成でき、しかも長寿命である。まだ消費電力を抑えることができる。
【００２９】
（実施の形態４）
集光体２２を円柱形の樹脂で構成している。円柱形にすることにより、発光体２１からの光を効果的に集光でき、ガラス１９面から明るい光を放つことができる。
【００３０】
（実施の形態５）
複数の発光体２１を独立して光らせるため、個々の発光体２１からガラス１９まで光を導く独立して光ケース２３を設けている。図２は、光ケース２３を拡大した斜視図である。個々の発光体２１を独立して囲っているため、ドット状に光らせることができる。また発光体２１の光が拡散しないため、明るく光らせることができる。
【００３１】
（実施の形態６）
図１において、光ケース２３を燃焼室２の上部の空間に設けたもので、操作部１７のデッドスペースに設置でき、温風暖房装置の奥行きを薄く、コンパクトにすることができる。
【産業上の利用可能性】
【００３２】
以上のように、本発明によれは、機器の前面に光ユニットを設け、燃焼と連動させて発光体を発光させると、明るい光を表示でき、遠くから一目で燃焼していることが確認できるため、点火の確認も容易になり、つけっ放しで外出する等を防止でき、安全性を高めることができるため、燃焼状態が外部から確認できないような燃焼装置全般に適用可能である。
【図面の簡単な説明】
【００３３】
【図１】本発明の実施例１における温風暖房装置の断面図
【図２】本発明の実施例５における温風暖房装置の光ケース部の斜視図
【図３】従来例における温風暖房装置の断面図
【符号の説明】
【００３４】
１  バーナー
２  燃焼室
４  対流用ファン
５  温風吹出し口
８  対流用フィルター
１７  操作部
１８  前板
１９  ガラス
２０  半透光部材
２１  発光体
２２  集光体
２４  光ユニット
【図１】
2007107740.tif 000003
【図２】
2007107740.tif 000004
【図３】
2007107740.tif 000005